(57)【特許請求の範囲】
【請求項１】
内面が熱接着性樹脂層からなる積層体を前記熱接着性樹脂層を内面にして、上下または左右の両端縁の端縁熱接着部および該端縁熱接着部に直交する直交熱接着部により形成された袋であつて、開封用テープが前記袋の前記両端縁熱接着部間の全長にわたつて前記熱接着性樹脂層面に接着されると共に、両端縁の前記端縁熱接着部において、前記開封用テープの端縁の両側の積層体に端縁から延びる切込が形成され且つ前記開封用テープの端縁と前記切込を含む領域を非熱接着部とした開封部が形成された構成からなることを特徴とする易開封袋。
【請求項２】
前記直交熱接着部が前記袋の中央部に位置するように形成されたピロータイプ袋であることを特徴とする請求項１記載の易開封袋。
【請求項３】
前記開封用テープが、１軸延伸フイルムないしは２軸延伸フイルムの両面に熱接着性樹脂層が積層されると共に、少なくとも一方の熱接着性樹脂層が易剥離性熱接着性樹脂からなる構成であることを特徴とする請求項１、２記載の易開封袋。
【発明の詳細な説明】
【０００１】
【産業上の利用分野】
本発明は、袋に任意の大きさの開口を形成できると共に、容易に開封することのできる易開封袋に関する。
【０００２】
【従来の技術】
従来、開封用のテープを利用して開封し易くしたプラスチツク製の袋に関しては、例えば、実公昭６２−２９４１８号に記載されているような、２本の切れ目を形成してある帯状の切り裂き用フイルムを開封位置の袋の内面に接着した構成のものが知られている。しかしながら、上記の袋のように切り裂き用フイルムに切れ目を形成して使用する場合には、フイルムに切れ目を形成する作業が困難で作業性が悪く結果的に高価になるという欠点があつた。また、電子レンジで加熱できる袋としては、袋の一部分を通気性の材料にて構成したもの、袋に孔を形成しその孔を剥離可能にテープ等で密閉したもの等が知られているが、両者共に袋の製造工程が煩雑であり高価であると共に、前者のものは通気性材料を部分的に使用しているためにバリアー性が劣るという欠点があるし、易開封性でないために使用に際して開封し難いという欠点があつた。
【０００３】
【発明が解決しようとする課題】
本発明の目的は、袋の開封が容易であり、且つ電子レンジで加熱する際に発生する蒸気を逃がすための開口を容易に形成できると共に、例えば、ピロータイプ包装機等にて内容物を包装する際にインラインで容易に加工できる易開封袋を提供することである。
【０００４】
【課題を解決するための手段】
内面が熱接着性樹脂層からなる積層体を前記熱接着性樹脂層を内面にして、上下または左右の両端縁の端縁熱接着部および該端縁熱接着部に直交する直交熱接着部により形成された袋であつて、開封用テープが前記袋の前記両端縁熱接着部間の全長にわたつて前記熱接着性樹脂層面に接着されると共に、両端縁の前記端縁熱接着部において、前記開封用テープの端縁の両側の積層体に端縁から延びる切込が形成され且つ前記開封用テープの端縁と前記切込を含む領域を非熱接着部とした開封部が形成された構成からなることを特徴とする易開封袋である。
【０００５】
前記直交熱接着部が前記袋の中央部に位置するように形成されたピロータイプ袋であることを特徴とする上記の易開封袋である。
【０００６】
前記開封用テープが、１軸延伸フイルムないしは２軸延伸フイルムの両面に熱接着性樹脂層が積層されると共に、少なくとも一方の熱接着性樹脂層が易剥離性熱接着性樹脂からなる構成であることを特徴とする上記の易開封袋である。
【０００７】
【作用】
内面が熱接着性樹脂層からなる積層体を熱接着性樹脂層を内面にして、上下または左右の両端縁の端縁熱接着部および端縁熱接着部に直交する直交熱接着部により形成された袋であつて、開封用テープが袋の端縁熱接着部間の全長にわたつて熱接着性樹脂層面に接着されると共に、少なくとも一方の前記端縁熱接着部において、前記開封用テープの端縁の両側の積層体に切込が形成され且つ前記開封用テープの端縁と前記切込を含む領域を非熱接着部とした開封部が形成された構成とすることにより、開封部における開封用テープの端縁の切込が形成された部分から容易に引き剥がして、袋に任意の大きさの開口を形成することができるので、その状態で電子レンジで加熱することが可能である上に、加熱した後に容易に袋を開封して内容物を取り出すことができる。また、ピロータイプ自動包装機等にて内容物を包装する際に、インラインで、開封用テープの接着、開封用テープの端縁の両側への切込の形成、非熱接着部の形成等の加工を容易に行うことが可能であるので、特別な工程を必要とせず低価格で製造することができる。
【０００８】
【実施例】
以下、図面を引用して本発明を説明する。
図１は本発明の易開封袋を示す図で、（イ）は平面図、（ロ）は（イ）におけるＩ−Ｉ断面図、（ハ）は（イ）におけるＩＩ−ＩＩ断面図、図２は開封用テープの積層構成を示す断面図、図３は開封用テープにより本発明の易開封袋を引き裂いて開口を形成した状態を示す図で、（イ）は平面図、（ロ）は（イ）におけるＩ−Ｉ断面図、図４は本発明の易開封袋を作製するのに使用する連続状態の積層フイルムを示す平面図であつて、１は直交熱接着部、２は端縁熱接着部、３は開封用テープ、３ａはテープ基材、３ｂは易剥離性樹脂層、４は切込、５は非熱接着部、６は開封部、７は積層体、８は開口、９はカツト線、１１は直交熱接着領域、１２は端縁熱接着領域、１５は非熱接着領域をそれぞれ表す。
【０００９】
本発明の易開封袋は図１に示すとおりであり、平面形状は図１（イ）に示すように、内面に熱接着性樹脂層を備えた積層体７を直交熱接着部１と両端の端縁熱接着部２により形成したピロータイプの袋であつて、直交熱接着部１と平行に袋の端縁熱接着部２間の全長にわたつて開封用テープ３が熱接着性樹脂層面に熱接着されると共に、開封用テープ３の両方の端縁に開封部６が形成されている。開封部６の構成は、開封用テープ３の両方の端縁における開封用テープ３の両側の積層体に所定長さの切込４が形成され、且つ開封用テープ３の端縁と切込４を含む領域を非熱接着部５とした構成からなつている。
【００１０】
開封部６の断面形状は図１（ロ）に示すように、開封用テープ３の両方の端縁における開封用テープ３の両側の積層体に所定長さの切込４が形成され且つ開封用テープ３の端縁と切込４を含む領域が熱接着されない非熱接着部５となつているので、開封用テープ３の端縁と開封用テープ３が接着された積層体７を摘んで切込４に沿つて袋を引き裂くことができる。また、開封部６に隣接する端縁熱接着部２の断面形状は図１（ハ）に示すように、開封用テープ３を積層体７の熱接着性樹脂層で挟み込んだ状態で熱接着されている。また、開封用テープ３の積層構成は図２に示すように、テープ基材３ａの両方の面に易剥離性樹脂層３ｂが積層された構成である。開封用テープ３は袋を構成する積層体７の熱接着性樹脂層面に挟まれた状態で熱接着されている。なお、開封用テープ３の積層構成をテープ基材３ａの一方の面に易剥離性樹脂層３ｂを積層し他方の面に熱接着樹脂層を積層した構成としてもよい。その場合には、開封用テープ３は袋を構成する積層体７の熱接着性樹脂層面に開封用テープ３の熱接着樹脂層により接着される。
【００１１】
本発明の易開封袋において、開封用テープ３の接着位置は、袋の端縁熱接着部２間の全長にわたつて取り付けさえすれば、袋の中央部でも端縁寄りの位置でもよく任意である。また、開封用テープ３を接着する袋の面についても、上記実施例では直交熱接着部１が形成されている側と対向する側の積層体の熱接着性樹脂層に取り付けられているが、直交熱接着部１が形成されている袋の面に取り付けてもよい。また、開封部６は袋の両端に形成しているが、開封部６を袋の一方の端縁のみに形成してもよい。上記実施例のように袋の両端に開封部６を形成しているのは、後で説明するように、ピロータイプ自動包装機等にて内容物を自動包装する際に、インラインで開封部６を形成するのには袋の両端に開封部６を形成した方が作業性がよいからである。
【００１２】
本発明の易開封袋は、開封部６における開封用テープ３の端部を摘んで袋を一定の位置まで引き裂くことにより、図３（イ）に示すように袋に開口９を形成することができるので、その状態で電子レンジでの加熱が可能である。開封部６に隣接する端縁熱接着部２において、剥離する面は開封用テープ３の易剥離性樹脂層３ｂと袋の内面の熱接着性樹脂層との界面である。易剥離性樹脂層３ｂと袋の内面の熱接着性樹脂層との熱接着強度は容易に剥離できる程度の接着強度が得られるので、開封用テープ３の端縁を摘んで引っ張ることにより、開封用テープ３の易剥離性樹脂層３ｂと袋の内面の熱接着性樹脂層との界面が剥離して袋を容易に引き裂くことにができる。開封用テープ３を引き裂いた時に積層体７の一部が引き裂かれて除去され図３（ロ）に示すようになる。図３（イ）に示すように、開封用テープ３の端縁を摘んで引き裂き袋に開口９を形成した状態で、電子レンジで加熱が可能であり、加熱終了後に開封用テープ３を完全に引き裂いて袋を開封し内容物を取り出すことができる。また、電子レンジで加熱するのではなくそのまま使用する場合には、開封用テープ３により袋を完全に引き裂くことで、内容物を容易に取り出すことができる。
【００１３】
本発明の易開封袋の製造は、積層体７に開封用テープ３を接着して所定箇所に切込４を形成して、前もつて図４に示す構成の積層体を作製し、それを使用してピロータイプ包装機等により包装することができる。しかしながら、積層体７への開封用テープ３の接着および切込４の形成が、別工程での加工となり加工工程が増える上に、加工された積層体７をロール状に巻き取る際に開封用テープ３を接着した箇所が盛り上がるので巻き取り難くなる。したがつて、本発明の易開封袋は、ピロータイプ包装機等にて内容物を自動包装する際にインラインで作製する方法で製造するのが好ましい。ピロータイプ包装機等にて開封部６を形成して本発明の易開封袋を作製するには、先ず、基材層に印刷を施し熱接着性樹脂層を積層して積層体７を作製し所定巾にスリツトしてロール状とする。ロール状の積層体７をピロータイプ包装機に供給し積層体７を繰り出し、連続ないしは間欠的に積層体を移送しながら、積層体７の巾方向の所定位置の熱接着性樹脂層面に連続した状態で開封用テープ３を熱接着により貼着した後に、包装後に個々の袋にカツトするカツト線９を跨ぐ位置にて、開封用テープ３の両側に所定長さの切込４を形成して、図４に示す状態に加工する。
【００１４】
次いで、両側の直交熱接着領域１１において、積層体７の熱接着性樹脂層面同士を合わせて熱接着して直交熱接着部１を形成して筒状とする、と同時に内容物をその内部に収納する。筒状に成形され内部に内容物が収納された状態で、端縁熱接着領域１２にて熱接着して端縁熱接着部２を形成した後、端縁熱接着領域１２の中央部のカツト線９にてカツトすることにより、内容物が包装された本発明の易開封袋が作製される。端縁熱接着領域１２にて熱接着して端縁熱接着部２を形成する際に、カツト線９を跨ぐ位置における開封用テープ３の両側の切込４を含む非熱接着領域１５を残して熱接着して非熱接着部５とすることにより開封部６を形成することができる。非熱接着領域１５はカツト線９に対称に設けられているので、包装が完了した状態の易開封袋の開封用テープ３の両端に開封部６が形成されることになる。
【００１５】
積層体７は基材層に熱接着性樹脂層が積層された構成からなり、積層体７を構成する基材層としては２軸延伸ポリプロピレン（ＯＰＰ）、２軸延伸ポリエチレンテレフタレート（ＰＥＴ）、２軸延伸ナイロン（ＯＮ）等のフイルムが使用でき、熱接着性樹脂層としては未延伸ポリプロピレン（ＣＰＰ）、ポリエチレン（ＰＥ）、アルミニウム蒸着未延伸ポリプロピレン（ＶＭＣＰＰ）、アルミニウム蒸着ポリエチレン（ＶＭＰＥ）等が使用できる。具体的な積層構成としては、ＯＰＰ／ＣＰＰ、ＰＥＴ／ＣＰＰ、ＯＰＰ／ＶＭＣＰＰ、ＰＥＴ／ＶＭＣＰＰ、ＯＮ／ＰＥ等の積層体が最も一般的に使用される構成である。電子レンジで加熱する用途の場合には、アルミニウム蒸着フイルムは使用できない。アルミニウム蒸着フイルムを使用した構成とすることにより袋のバリアー性を改良することができる。
【００１６】
開封用テープ３の構成は、テープ基材３ａの両方の面に易剥離性樹脂層３ｂが積層された図２に示す構成でもよいし、テープ基材３ａの一方の面に易剥離性樹脂層３ｂを他方の面に熱接着性樹脂層をそれぞれ積層した構成としてもよい。開封用テープ３のテープ基材３ａとしては、１軸延伸ないし２軸延伸ポリプロピレン、２軸延伸ポリエチレンテレフタレート等が好適に使用できる。テープ基材３ａは積層体を引き裂く役割を果たすものであるため強度が必要があり、厚さが２５〜４０ミクロンのものがよい。易剥離性樹脂層３ｂとしては積層体７の内面を構成する熱接着性樹脂層と熱接着した際に、強度が０．５〜１．５ｋｇ／１５ｍｍ程度のものが好ましい。例えば、東セロ製、ＣＭＰＳ等の易剥離性樹脂が使用できる。
【００１７】
本発明の易開封袋の用途としては、冷凍食品、スナツク食品等の包装に最も適している。冷凍食品の包装に使用した場合には、開封用テープ３を内容物の加熱適性に応じた長さに引き裂いて開口８を形成してそのまま電子レンジで加熱することができる。また、スナツク食品の包装に使用した場合には、アルミニウム蒸着フイルムを積層した積層体を使用することによりガスバリアー性の優れたの包装体が得られ、且つ使用時には容易に袋を開封することができる。
【００１８】
【発明の効果】
内面が熱接着性樹脂層からなる積層体を熱接着性樹脂層を内面にして熱接着により形成された袋であつて、袋の対向する両端縁に形成された端縁熱接着部間の全長にわたつて開封用テープが熱接着性樹脂層面に接着されると共に、開封用テープの少なくとも一方の端縁において、開封用テープの両側の積層体に切込が形成されると共に、少なくとも一方の前記端縁熱接着部において、前記開封用テープの端縁の両側の積層体に切込が形成され且つ前記開封用テープの端縁と前記切込を含む領域を非熱接着部とした開封部が形成された構成の易開封袋であるので、開封部から開封用テープを引つ張つて袋を引き裂き袋に任意の大きさの開口を形成することができるので、袋に開口を形成した状態で袋のままで電子レンジで加熱できる。また、使用時には開封用テープにより袋を引き裂くことにより開封が可能であり、内容物を容易に取り出すことができる。また、本発明の電子レンジ加熱可能な易開封袋は、例えばピロータイプ自動包装機等にて自動包装する際にインラインにて、袋を構成する積層体の巾方向の所定位置に積層体の流れ方向に全長にわたつて開封用テープを接着すると共に、所定間隔で切込を入れて、熱接着により高速で包装することができるので、低価格で易開封袋を作製することが可能である。
【図面の簡単な説明】
【図１】本発明の易開封袋を示す図で、（イ）は平面図、（ロ）は（イ）におけるＩ−Ｉ断面図、（ハ）は（イ）におけるＩＩ−ＩＩ断面図。
【図２】開封用テープの積層構成を示す断面図。
【図３】開封用テープにより本発明の易開封袋を引き裂いて開口を形成した状態を示す図で、（イ）は平面図、（ロ）は（イ）におけるＩ−Ｉ断面図。
【図４】本発明の易開封袋を作製するのに使用する連続状態の積層フイルムを示す平面図。
【符号の説明】
１  中央熱接着部
２  端縁熱接着部
３  開封用テープ
３ａ    テープ基材
３ｂ  易剥離性樹脂層
４  切込
５  非熱接着部
６  開封部
７  積層体
８  開口
９  カツト線
１１  中央熱接着領域
１２  端縁熱接着領域
１５  非熱接着領域
【図１】
0003634451.tif 000002
【図３】
0003634451.tif 000003
【図２】
0003634451.tif 000004
【図４】
0003634451.tif 000005